(57)【要約】      （修正有）【課題】外的刺激や洗濯による反射材の機能劣化を防止する衣服を提供する。【解決手段】衣服は、衣服本体と、衣服本体の外側に配置される反射材１５と、反射材の一部を覆う保護部材１１と、を備える。反射材１５は、保護部材１１と衣服本体とに挟まれて衣服本体に固定される。また、反射材１５は矩形状である。そして、保護部材１１は、反射材の第１辺に沿って衣服本体に取り付けられる第１基部１２と、反射材における第１辺に対向する第２辺に沿って衣服本体に取り付けられる第２基部１３と、第１基部と第２基部とをつないで反射材の一部を覆う複数の連結部１４と、を備える。【選択図】図２
0003202774.tif 000002
【実用新案登録請求の範囲】
【請求項１】
衣服本体と、
前記衣服本体の外側に配置される反射材と、
前記反射材の一部を覆う保護部材と、を備えることを特徴とする衣服。
【請求項２】
前記反射材は、前記保護部材と前記衣服本体とに挟まれて前記衣服本体に固定されることを特徴とする請求項１に記載の衣服。
【請求項３】
前記反射材は矩形状であり、
前記保護部材は、前記反射材の第１辺に沿って前記衣服本体に取り付けられる第１基部と、前記反射材における前記第１辺に対向する第２辺に沿って前記衣服本体に取り付けられる第２基部と、前記第１基部と前記第２基部とをつないで前記反射材の一部を覆う複数の連結部と、を備えることを特徴とする請求項１又は２に記載の衣服。
【請求項４】
前記反射材を前記保護部材の内側に挿入できる挿入孔が設けられ、
前記反射材は前記挿入孔から出し入れすることで前記衣服本体に対して着脱自在であることを特徴とする請求項１乃至３のいずれか１項に記載の衣服。
【請求項５】
前記反射材に、前記反射材の外方に伸びる引張部が設けられることを特徴とする請求項４に記載の衣服。
【請求項６】
前記挿入孔を塞ぐ閉塞部をさらに備えることを特徴とする請求項４又は５に記載の衣服。
【考案の詳細な説明】
【技術分野】
【０００１】
本考案は、反射材付きの衣服に関する。
【背景技術】
【０００２】
夜間や暗所での作業員の存在を示すために、視認性を上げるべく再帰性反射材を縫合等した衣服が実用化されている（例えば特許文献１を参照のこと）。
【先行技術文献】
【特許文献】
【０００３】
【特許文献１】実用新案登録第３１４９２６１号公報
【考案の概要】
【考案が解決しようとする課題】
【０００４】
再帰性反射材は、入射光を光源の方向にまっすぐ戻す再帰性反射を実現したものであり、ガラスビーズで光を屈折させるタイプやプリズムで光を屈折させるタイプがある。
このような再帰性反射が取り付けられた衣服は、外部部材にこすり付けられる等の外的刺激が再帰性反射に加えられたり、洗濯されたりすると、ガラスビーズが剥離したり、プリズムが摩耗したりして、反射材の機能が劣化することがある。
【０００５】
本考案は上記のような点に鑑みてなされたものであり、外的刺激や洗濯による反射材の機能劣化の防止を目的とする。
【課題を解決するための手段】
【０００６】
本考案の衣服は、衣服本体と、前記衣服本体の外側に配置される反射材と、前記反射材の一部を覆う保護部材と、を備えることを特徴とする。
本考案の衣服の他の特徴とするところは、前記反射材は、前記保護部材と前記衣服本体とに挟まれて前記衣服本体に固定される点にある。
本考案の衣服の他の特徴とするところは、前記反射材は矩形状であり、前記保護部材は、前記反射材の第１辺に沿って前記衣服本体に取り付けられる第１基部と、前記反射材における前記第１辺に対向する第２辺に沿って前記衣服本体に取り付けられる第２基部と、前記第１基部と前記第２基部とをつないで前記反射材の一部を覆う複数の連結部と、を備える点にある。
本考案の衣服の他の特徴とするところは、前記反射材を前記保護部材の内側に挿入できる挿入孔が設けられ、前記反射材は前記挿入孔から出し入れすることで前記衣服本体に対して着脱自在である点にある。
本考案の衣服の他の特徴とするところは、前記反射材に、前記反射材の外方に伸びる引張部が設けられる点にある。
本考案の衣服の他の特徴とするところは、前記挿入孔を塞ぐ閉塞部をさらに備える点にある。
【考案の効果】
【０００７】
本考案によれば、外的刺激や洗濯による反射材の機能劣化を防止できる。
【図面の簡単な説明】
【０００８】
【図１】上着の図であり、（ａ）は上着の正面図、（ｂ）は上着の背面図である。
【図２】反射部の図であり、（ａ）は反射部の正面図、（ｂ）は反射部の挿入孔を露出させた図、（ｃ）は反射材を取り出した図である。
【図３】反射部の他の例の図であり、（ａ）は反射部の正面図、（ｂ）は袖を裏返した図、（ｃ）は反射材を取り出した図である。
【考案を実施するための形態】
【０００９】
以下、図面を参照して、本考案の好適な実施形態について説明する。
＜第１実施形態＞
まず、図１を参照して、衣服の一例である上着１について説明する。図１（ａ）は上着１の正面図であり、図１（ｂ）は上着１の背面図である。
上着１は、作業者が作業するときに着用するものであり、上着１が後述の反射部１０を備えることで、車のヘッドライト等の光源からの光を反射し、視認性を向上させることができる。特に夜間や暗所において視認性を顕著の向上させることができる。上着１は、上着本体２と、反射部１０とを備える。
なお、以降では、上着１の前後左右は、作業者が上着１を着用したときの作業者から見た前後左右に一致するものとする。また、上着１の内側は、作業者が上着１を着用したときの作業者の側とし、上着１の外側は、上着１の内側の反対側であって、作業者が上着１を着用したときの外部に露出する側とする。
【００１０】
上着本体２は、衣服本体の一例であり、作業者が着用したときに胴を覆う身頃（胴回り）３と、左腕を覆う袖４と、右腕を覆う袖５とを備える。
反射部１０は、光源からの光を反射するものであり、上着本体２に取付けられている。反射部１０として、上着１は袖４の反射部１０Ａ、袖５の反射部１０Ｂ、身頃３の反射部１０Ｃを備える。反射部１０Ａは、袖４の左側かつ外側であって、袖４の長さ方向の中央よりも袖４と身頃３との接続部の側に設けられる。反射部１０Ｂは、袖５の右側かつ外側であって、袖４の長さ方向の中央よりも袖４と身頃３との接続部の側に設けられる。反射部１０Ｃは、身頃３の後ろ側かつ外側であって、袖４と身頃３との接続部の近辺から袖５と身頃３との接続部の近辺に亘って伸びるように設けられる。なお、反射部１０の数や取り付け位置はここで説明した例に限定されるものではない。
【００１１】
反射部１０Ａ〜Ｃの構造は同様であるため、ここでは、図２を参照して反射部１０Ａについて説明する。図２（ａ）は反射部１０Ａの正面図であり、図２（ｂ）は反射部１０Ａの挿入孔１７を露出させた図であり、図２（ｃ）は反射材１５を取り出した図である。反射部１０Ａは、袖４の外側に設けられ、反射材１５と、保護部材１１と、閉塞部１８とを備える。
反射材１５は、入射した光の光源の方向に向かって光を反射させる再帰性反射を行う再帰性反射材であり、例えばガラスビーズ式の再帰性反射材である。ガラスビーズ式の再帰性反射材は、シート状の基材の表面に球状のガラスビーズが接着されたものである。なお、マイクロプリズム式の再帰性反射材を用いてもよい。マイクロプリズム式の再帰性反射材は、シート状の基材の表面にマイクロプリズムを張り付けたものである。また、ガラスビーズ式及びマイクロプリズム式以外の再帰性反射材を用いてもよい。
反射材１５は、光を反射する面、すなわち、ガラスビーズが接着された面又はマイクロプリズムが貼り付けられた面等が外側になるように、上着本体２の外側に配置される。反射材１５は、矩形状であり、図２（ｃ）に示すように、一対の長辺Ｌ１、Ｌ３と、一対の短辺Ｌ２、Ｌ４とを備える。
反射材１５の短辺Ｌ４には、反射材１５の外方に伸びる引張部１６が取り付けられている。引張部１６としては、例えば紐状の布が縫い付けられたり、接着剤で接着されたりして反射材１５に取り付けられる。
【００１２】
保護部材１１は、反射材１５の一部を覆い、第１基部１２と、第２基部１３と、連結部１４とを備える。
第１基部１２は、反射材１５の長辺Ｌ１に沿って袖４に取り付けられ、第１基部下層１２Ａと、第１基部上層１２Ｂとを備える。第１基部下層１２Ａは、例えばタフタで形成され、袖４に縫い付けられている。第１基部上層１２Ｂは、第１基部下層１２Ａの表面に設けられる。第１基部１２における第２基部１３側の端部は反射材１５の長辺Ｌ１側の領域を覆う。
第２基部１３は、反射材１５の長辺Ｌ３に沿って袖４に取り付けられ、第２基部下層１３Ａと、第２基部上層１３Ｂとを備える。第２基部下層１３Ａは、例えばタフタで形成され、袖４に縫い付けられている。第２基部上層１３Ｂは、第１基部下層１２Ａの表面に設けられる。第２基部１３における第１基部１２側の端部は反射材１５の長辺Ｌ３側の領域を覆う。
【００１３】
連結部１４は、第１基部１２と第２基部１３とをつないで、反射材１５の一部を覆う。連結部１４は、第１基部１２から第２基部１３まで直線状に伸び、複数あって等間隔に配置され、互いに平行である。連結部１４は、第１基部１２及び第２基部１３に対して傾斜する。したがって、隣接する一対の連結部１４と、第１基部１２と、第２基部１３とで囲まれる開放領域は平行四辺形状の窓状となり、開放領域から反射材１５が露出する。なお、開放領域は、正方形、長方形、台形、三角形、円形、楕円形等であってもよい。
連結部１４は、第１基部上層１２Ｂ及び第２基部上層１３Ｂと一体的に形成される。そして、第１基部上層１２Ｂ、第２基部上層１３Ｂ及び連結部１４からなる一体部材は、ポリウレタン、ＰＶＣ（ポリ塩化ビニル）、ＥＶＡ（エチレン酢酸ビニルコポリマー）、塩化ビニル、シリコーン、又は、皮革等で形成される。そして、この一体部材は、例えば、シート状のポリウレタン等を型抜きして形成し、第１基部下層１２Ａ及び第２基部下層１３Ａに圧着して接合させる。なお、この一体部材は、シート状のポリウレタン等を第１基部下層１２Ａ及び第２基部下層１３Ａに圧着して接合させた後に、レーザ等で型抜きをして形成する等、他の方法で形成してもよい。
また、第１基部上層１２Ｂ、第２基部上層１３Ｂ、及び、連結部１４の厚みは、反射材１５を保護しつつ、上着１を着用したときの動きやすさを妨げないようにする観点から定められ、例えばそれぞれ厚さが１ｍｍ程度ある。
【００１４】
保護部材１１の端部と上着本体２との間が開放されて、反射材１５を保護部材１１の内側に挿入できる挿入孔１７が形成される。閉塞部１８は、反射材１５を挿入できる挿入孔１７を塞ぐことができる。ここで、まず、図２（ｂ）を参照して挿入孔１７について説明する。図２（ｂ）では、閉塞部１８が開かれて挿入孔１７が露出している。挿入孔１７は、反射材１５を挿入でき、保護部材１１の連結部１４と、袖４とに挟まれた領域に通じる。したがって、反射材１５を挿入孔１７から保護部材１１の内側に挿入できる。また、挿入孔１７は、保護部材１１の長さ方向（第１基部１２が伸びる方向）の一方の端部と、この保護部材１１の端部に対向する袖４の領域との間に設けられる。
なお、保護部材１１の長さ方向の他方の端部（挿入孔１７とは反対側の端部）は袖４に縫い付け等で閉じられているので、保護部材１１の他方の端部から反射材１５が抜け落ちることはない。
【００１５】
閉塞部１８、及び、袖４における挿入孔１７の近傍には、それぞれ係合部１９Ａ、１９Ｂが設けられる。係合部１９Ａ、１９Ｂは、係合及び係合の解除が可能である。図２に示す例では、係合部１９Ａ、１９Ｂにスナップボタンが使われ、一方をスナップボタンの凹部とし、他方をスナップボタンの凸部とする。係合部１９Ａ、１９Ｂが係合されることで閉塞部１８が挿入孔１７を塞ぎ、係合部１９Ａ、１９Ｂの係合が解除されることで閉塞部１８が挿入孔１７を開放する。なお、係合部１９Ａ、１９Ｂには面ファスナーが使われてもよい。このとき係合部１９Ａ、１９Ｂの一方を面ファスナーのループ部とし、他方を面ファスナーのフック部とする。また、係合部１９Ａ、１９Ｂは、スナップボタンや面ファスナー以外でもよく、係合及び係合の解除が可能なものであればよい。
【００１６】
次に、反射材１５の袖４への取り付けについて説明する。
まず、図２（ｃ）に示すように、袖４から反射材１５が取り外された状態のときに、作業者は、係合部１９Ａ、１９Ｂの係合を解除して、閉塞部１８が挿入孔１７を開放する状態にする。
次に、作業者は、反射材１５における引張部１６が設けられた側である短辺Ｌ４の側から、反射材１５を挿入孔１７に挿入する。
次に、作業者は、反射材１５に設けられた引張部１６を引張り、反射材１５が連結部１４と袖４との間に入るようにしながら、反射材１５の短辺Ｌ４が保護部材１１における挿入孔１７の反対側の端部に至るまで、反射材１５をスライドさせる。
次に、作業者は、係合部１９Ａ、１９Ｂを係合して閉塞部１８が挿入孔１７を閉じる状態にする。
これにより、反射材１５が袖４に取り付けられる。
【００１７】
次に、反射材１５の袖４からの取り外しについて説明する。
まず、図２（ａ）に示すように、反射材１５が袖４に取り付けられた状態のときに、作業者は、係合部１９Ａ、１９Ｂの係合を解除して、閉塞部１８が挿入孔１７を開放する状態にする。
次に、作業者は、挿入孔１７から反射材１５を引張り、挿入孔１７から反射材１５を抜き出す。
これにより、反射材１５が袖４から取り外される。
このように、反射材１５は挿入孔１７を通すことで上着本体２に対して着脱自在である。
【００１８】
以上説明した通り、本実施形態の上着１は、上着本体２と、上着本体２の外側に配置される反射材１５と、反射材１５の一部を覆う保護部材１１とを備える。よって、反射材１５の表面より、反射材１５の一部を覆う保護部材１１の表面の方が、上着１の外側に位置する。したがって、上着１における反射材１５が配置される部分が外部部材にこすり付けられても、反射材１５より先に保護部材１１が外部部材に接触する可能性が高まる。同様に、上着１を洗濯しても、洗濯中は反射材１５より先に、保護部材１１が、同時に洗濯している他の衣類等に接触する可能性が高まる。このため、外的刺激や洗濯によって反射材１５のガラスビーズ等が剥離するおそれが低減し、反射材１５の機能劣化を抑制できる。
【００１９】
また、反射材１５は、保護部材１１と上着本体２とに挟まれて上着本体２に固定される。したがって、反射材１５を上着本体２に固定するために、面ファスナー等の固定具を設ける必要がない。
また、反射材１５は矩形状であり、保護部材１１は、第１基部１２と、第２基部１３と、連結部１４とを備える。第１基部１２は、反射材１５の長辺Ｌ１に沿って上着本体２に取り付けられる。第２基部１３は、反射材１５の長辺Ｌ３に沿って上着本体２に取り付けられる。連結部１４は、複数あって、第１基部１２と第２基部１３とをつないで反射材１５の一部を覆う。よって、反射材１５の表面には複数の連結部１４が配置されることになる。したがって、外的刺激や洗濯によって反射材１５のガラスビーズ等が剥離するおそれが低減し、反射材１５の機能劣化を抑制できる。
【００２０】
また、反射材１５を挿入できて、保護部材１１と上着本体２とに挟まれた領域に通じる挿入孔１７が、保護部材１１と上着本体２との間に設けられる。そして、反射材１５は挿入孔１７を通すことで上着本体２に対して着脱自在である。したがって、反射材１５が機能劣化したときに、反射材１５のみを新しいものに交換することができ、上着１を新しいものに交換する必要がない。また、上着１を洗濯等するときに上着本体２から反射材１５を取り外すことで、洗濯等による反射材１５の機能劣化を防止できる。
また、反射材１５には、反射材１５の外方に伸びる引張部１６が設けられる。よって、反射材１５を上着本体２に取り付けるとき、反射材１５を挿入孔１７に挿入させて引張部１６を引張ることで、反射材１５の引張部１６が設けられた側を、保護部材１１における挿入孔１７の反対側の端部までスライドさせられる。したがって、反射材１５の上着本体２への取り付けが容易になる。
また、上着１は、挿入孔１７を塞ぐ閉塞部１８を備える。したがって、取り付けられた反射材１５が挿入孔１７から抜け落ちることを防止できる。
【００２１】
＜第２実施形態＞
次に、本実施形態の上着１について説明する。なお、以降では第１実施形態の上着１とは異なる部分について詳しく説明する。
本実施形態の上着１が備える反射部２０Ａ〜Ｃの構造は同様であるため、ここでは図３を参照して反射部２０Ａについて説明する。図３（ａ）は反射部２０Ａの正面図であり、図２（ｂ）は袖４を裏返して袖４の裏側を露出させた図であり、図３（ｃ）は反射材１５を取り出した図である。
反射部２０Ａは、図２の反射部１０Ａと異なり、閉塞部１８を備えない。また、保護部材１１の長さ方向の両端部であって反射材１５の外側の領域は、縫い付け等により袖４に取り付けられている。したがって、反射材１５が保護部材１１の両端部から抜け落ちることがない。
また、図３（ｂ）及び（ｃ）に示すように、袖４における反射部２０Ａが設けられる領域４Ａには挿入孔２７が設けられる。領域４Ａは反射部２０Ａの外形と同様に矩形状である。挿入孔２７は、領域４Ａにおける長さ方向の中央から、長さ方向のどちらかの端部に片寄った位置に配置される。
ただし、挿入孔２７は、領域４Ａの長さ方向の端部から離間した位置に配置される。したがって、反射材１５は、反射材１５の端部以外の領域が挿入孔２７と対向するように、袖４に配置させられる。
【００２２】
反射材１５の袖４への取り付けは次のように行われる。
まず、作業者は、反射材１５における引張部１６が設けられた側である短辺Ｌ４の側から、反射材１５を挿入孔２７に挿入する。
次に、作業者は、反射材１５に設けられた引張部１６を引張り、反射材１５が連結部１４と袖４との間に入るようにしながら、反射材１５の短辺Ｌ４が保護部材１１における一方の端部に至るまで、反射材１５をスライドさせる。
次に、作業者は、反射材１５における短辺Ｌ２側の端部を、挿入孔２７に挿入して、保護部材１１における他方の端部に配置する。
これにより、反射材１５が袖４に取り付けられる。
また、反射材１５の袖４からの取り外しは、作業者が挿入孔２７から反射材１５を引張って抜き出すことで行われる。
【００２３】
以上説明した通り、本実施形態の上着１は、閉塞部１８を備えないため、上着１の製造に必要な部材を減らすことができる。また、閉塞部１８を備えなくても、挿入孔２７は、領域４Ａの長さ方向の端部から離間した位置に配置されるため、反射材１５の端部以外の領域が挿入孔２７と対向するように、反射材１５を配置できる。したがって、反射材１５が挿入孔２７から抜け落ちるおそれを低減できる。また、閉塞部１８が関連する点以外の点について、第１実施形態の上着１と同様の効果を奏する。
【００２４】
＜その他の実施形態＞
挿入孔１７、２７は、保護部材１１に設けられてもよい。
また、反射部１０は、上着１以外の衣服に取り付けてもよい。衣服は着用できるものであり、衣服にはスラックス、帽子、ヘルメット、靴及び手袋等が含まれる。
以上、本考案を実施形態と共に説明したが、上記実施形態は本考案を実施するにあたっての具体化の例を示したものに過ぎず、これらによって本考案の技術的範囲が限定的に解釈されてはならないものである。すなわち、本考案はその技術思想、又はその主要な特徴から逸脱することなく、様々な形で実施することができる。
【符号の説明】
【００２５】
１  上着、１０  反射部、１１  保護部材、１５  反射材
【図１】
0003202774.tif 000003
【図２】
0003202774.tif 000004
【図３】
0003202774.tif 000005